(57)【要約】【課題】メール送信者の個性及び感情等を表現したデコレーションメールを容易に生成することを目的とする。【解決手段】デコレーションメールを作成するためのテンプレートを生成するテンプレート生成装置は、テンプレートを構成する要素毎に使用可能な素材を記憶し、素材毎に、当該素材が使用され得る前記要素の属性についての、属性内容と重み付けとを記憶しており、この素材毎の属性内容と重み付けと、メールに関する情報とに基づいて、素材毎の評価を行い、評価に応じて要素毎の素材を選択し、選択された前記素材からテンプレートを生成する。【選択図】図４
2011113510.tif 000002
【特許請求の範囲】
【請求項１】
デコレーションメールを作成するためのテンプレートを生成するテンプレート生成装置であって、
前記テンプレートを構成する要素毎に使用可能な素材を記憶する素材記憶手段と、
前記素材記憶手段で記憶している素材毎に、当該素材が使用され得る前記要素の属性についての、属性内容と重み付けとを対応付けて記憶する選択情報記憶手段と、
前記テンプレートを適用するメールに関する情報であるメール情報を取得するメール情報取得手段と、
前記選択情報記憶手段で記憶している前記素材毎の属性内容と重み付け、及び、前記メール情報とに基づいて、素材毎の評価を行う候補素材評価手段と、
前記要素毎に、前記評価に応じて素材を選択する選択手段と、
前記選択手段により選択された前記素材からテンプレートを生成する生成手段と
を備えるテンプレート生成装置。
【請求項２】
前記選択情報記憶手段は、前記要素毎に、当該要素の属性と重み付けとを対応付けて記憶し、
前記候補素材評価手段は、前記要素の属性毎の重み付け、前記素材毎の属性内容と重み付け、及び、前記メール情報とに基づいて、当該候補素材の評価を行う
ことを特徴とする請求項１記載のテンプレート生成装置。
【請求項３】
前記選択手段は、前記テンプレートを構成する要素毎に選択した素材の評価の総和を求め、当該総和が最も高くなるような素材を選択する
ことを特徴とする請求項１又は２に記載のテンプレート生成装置。
【請求項４】
前記候補素材評価手段は、前記メール情報が前記素材の属性内容を満たす場合に、評価を高くする
ことを特徴とする請求項１ないし請求項３のいずれかに記載のテンプレート生成装置。
【請求項５】
更に、本装置のユーザ以外の他のユーザが行った前記テンプレートに関する評価を取得する評価取得手段を備え、
前記候補素材評価手段は、前記評価取得手段で取得した評価に基づいて、当該素材の評価を行う
ことを特徴とする請求項１ないし請求項４のいずれかに記載のテンプレート生成装置。
【請求項６】
更に、複数のテンプレートを表示する表示手段と、
前記表示手段により表示されている複数のテンプレートのうち、ユーザが選択したテンプレートを検出し、検出したテンプレートを適用したデコレーションメールを記憶するメール記憶手段とを備え、
前記生成手段は、選択された素材の評価の総和が高い順に複数のテンプレートを生成し、当該総和に基づいてテンプレートを前記表示手段に表示させる
ことを特徴とする請求項１ないし請求項５のいずれかに記載のテンプレート生成装置。
【請求項７】
更に、前記素材毎の属性内容の重み付けを本装置のユーザから取得し、取得した当該素材の重み付けを属性内容と対応付けて前記選択情報記憶手段に記憶させる手段を備える
請求項１ないし請求項６のいずれかに記載のテンプレート生成装置。
【請求項８】
更に、前記要素の属性の重み付けを本装置のユーザから取得し、取得した当該要素の重み付けを当該要素の属性と対応付けて前記選択情報記憶手段に記憶させる手段を備える
請求項２に記載のテンプレート生成装置。
【請求項９】
前記メール情報は、メールの本文を含み、
前記生成手段で生成されたテンプレートと前記本文とからデコレーションメールを生成するデコレーションメール生成手段と
を備えることを特徴とする請求項１ないし請求項８のいずれかに記載のテンプレート生成装置。
【請求項１０】
デコレーションメールを作成するためのテンプレートを構成する要素毎に使用可能な素材を記憶する素材記憶手段と、前記素材記憶手段で記憶している素材毎に、当該素材が使用され得る前記要素の属性についての、属性内容と重み付けとを対応付けて記憶する選択情報記憶手段とを備えるテンプレート生成装置に、前記テンプレートを生成させるテンプレート生成方法であって、
前記テンプレートを適用するメールに関する情報であるメール情報を取得させ、
前記選択情報記憶手段で記憶している前記素材毎の属性内容と重み付け、及び、前記メール情報とに基づいて、素材毎の評価を行わせ、
前記要素毎に、前記評価に応じて素材を選択させ、
前記選択された前記素材からテンプレートを生成させる
テンプレート生成方法。
【請求項１１】
デコレーションメールを作成するためのテンプレートを構成する要素毎に使用可能な素材を記憶する素材記憶手段と、前記素材記憶手段で記憶している素材毎に、当該素材が使用され得る前記要素の属性についての、属性内容と重み付けとを対応付けて記憶する選択情報記憶手段とを備えるテンプレート生成装置に、前記テンプレートを生成させるコンピュータプログラムであって、
前記テンプレートを適用するメールに関する情報であるメール情報を取得するメール情報取得処理を実行させ、
前記選択情報記憶手段で記憶している前記素材毎の属性内容と重み付け、及び、前記メール情報とに基づいて、素材毎の評価を行う候補素材評価処理を実行させ、
前記要素毎に、前記評価に応じて素材を選択する選択処理を実行させ、
前記選択された前記素材からテンプレートを生成する生成処理を実行させる
コンピュータプログラム。
【発明の詳細な説明】
【技術分野】
【０００１】
本発明は、デコレーションメールを作成する技術に関する。
【背景技術】
【０００２】
近年、携帯電話機等の携帯端末の多くがメール機能を備え、多くのユーザがメールの送受信を行っている。
【０００３】
最近では、携帯電話機等の携帯端末やパソコンの回線における通信速度が向上するのに伴い、大容量のメールを送受信することが容易となり、データ量の大きいイラスト及び動画等によってメール本文を装飾した、いわゆるデコレーションメールが送受信されるようになっている。
【０００４】
デコレーションメールは、メールの送信者の個性や感情を表現するような装飾がなされたメールであり、メールの受信者とのコミュニケーションを図る上で良好なツールと言える。
【０００５】
ここで、デコレーションメールを作成する方法として、次の二つの方法がある。
【０００６】
一つ目の方法は、メールの装飾に用いるイラスト及び動画等の素材を、ユーザが一つずつ選択してメール本文内に配置することにより、デコレーションメールを作成する方法である。
【０００７】
二つ目の方法は、予め複数の素材を組み合わせて作成されている装飾、いわゆるテンプレートと、メール本文とを組み合わせることにより、デコレーションメールを作成する方法である。テンプレートは、ダウンロード等によって入手することができる。テンプレートは、１つの素材から作成されていてもよい。
【０００８】
一つ目の方法は、ユーザが所望する装飾を行うことはできるが、素材を一つずつ選択する必要があるため手間がかかる。また、二つ目の方法は、容易に装飾を行うことはできるが、ユーザが所望するようなテンプレートが無い場合があるという欠点がある。
【０００９】
そこで、メールの内容等に応じて、自動で装飾を施す技術が提案されている。
【００１０】
例えば、メール本文から特定のキーワードを抽出し、抽出したキーワードを基に喜怒哀楽の感情を解読し、解読に基づいて文字フォントの種類及び色等の設定を行う等である（特許文献１等参照）。
【先行技術文献】
【特許文献】
【００１１】
【特許文献１】特開２００９−２６０８９号公報
【発明の概要】
【発明が解決しようとする課題】
【００１２】
この技術によれば、メール本文等を基に装飾を自動で行うので、素材を選択する手間を省くことはできる。しかし、自動でなされる装飾は、キーワードに応じた画一的なものとなり、ユーザの個性及び感情等が表現されていないものとなる可能性がある。
【００１３】
そこで、本発明は、メール送信者の個性及び感情等を表現したデコレーションメールを従来よりも容易に生成することを目的とする。
【課題を解決するための手段】
【００１４】
本発明の１形態に係るテンプレート作成装置は、デコレーションメールを作成するためのテンプレートを生成するテンプレート生成装置であって、前記テンプレートを構成する要素毎に使用可能な素材を記憶する素材記憶手段と、前記素材記憶手段で記憶している素材毎に、当該素材が使用され得る前記要素の属性についての、属性内容と重み付けとを対応付けて記憶する選択情報記憶手段と、前記テンプレートを適用するメールに関する情報であるメール情報を取得するメール情報取得手段と、前記選択情報記憶手段で記憶している前記素材毎の属性内容と重み付け、及び、前記メール情報とに基づいて、素材毎の評価を行う候補素材評価手段と、前記要素毎に、前記評価に応じて素材を選択する選択手段と、前記選択手段により選択された前記素材からテンプレートを生成する生成手段と、を有する。
【発明の効果】
【００１５】
上記のテンプレート作成装置は、メール送信者の個性及び感情等を表現したデコレーションメールを従来よりも容易に生成することができる。
【図面の簡単な説明】
【００１６】
【図１】実施形態１の携帯電話機の外観及びデコレーションメール生成時の画面の例を示す図である。
【図２】送信メールの例を示す図である。
【図３】デコレーションメール選択画面の例を示す図である。
【図４】携帯電話機の機能的構成の例を示すブロック図である。
【図５】テンプレートの構成要素情報テーブルの構成及び内容の例を示す図である。
【図６】電話帳データ２２１０の構成及び内容の例を示す図である。
【図７】素材管理テーブルの構成及び内容の例を示す図である。
【図８】背景（季節）素材の選択情報の構成及び内容の例を示す図である。
【図９】音楽素材の選択情報の構成及び内容の例を示す図である。
【図１０】文字フォント素材の選択情報の構成及び内容の例を示す図である。
【図１１】携帯電話機のデコレーションメール送信処理のフローチャートである。
【図１２】背景素材の評価処理を示すフローチャートである。
【図１３】背景素材「新緑」の評価点の算出例を示す図である。
【図１４】音楽素材の評価処理を示すフローチャートである。
【図１５】文字フォント素材の評価処理を示すフローチャートである。
【図１６】メール情報及び素材の評価点を示す図である。
【図１７】素材の組み合わせ及び評価点の例を示す図である。
【図１８】素材の選択情報を変更する場合の画面遷移を示す図である。
【図１９】実施形態２の携帯電話機の機能的構成の例を示すブロック図である。
【図２０】実施形態２の携帯電話機のデコレーションメール送信処理のフローチャートである。
【図２１】実施形態２の素材の組み合わせ及び評価点の例を示す図である。
【図２２】実施形態３の携帯電話機のデコレーションメール送信処理のフローチャートである。
【図２３】実施形態３の素材の組み合わせ及び評価点の例を示す図である。
【図２４】点数付加要素情報の構成及び内容の例を示す図である。
【発明を実施するための形態】
【００１７】
＜実施形態１＞
実施形態１のデコレーションメール生成機能は、装飾の対象となるメールに関する情報を基に、装飾に用いるイラスト及び動画等の素材を複数個選択し、装飾の対象となるメールに固有のテンプレートを生成する。そして、生成したテンプレートで装飾したデコレーションメールを生成する。
【００１８】
素材の選択に際しては、ユーザの嗜好を反映した重み付けを勘案して選択を行う。重み付けは、素材毎に付けられている。ユーザの嗜好を反映した重み付けを勘案して素材を選択することで、ユーザの個性を豊かに表現した、ユーザの所望するデコレーションメールを生成することが可能となる。
【００１９】
例えば、ユーザが猫よりも犬の方が好きな場合は、素材「犬のイラスト」に付ける重み付けを素材「猫のイラスト」に付ける重み付けよりも重くすることで、「犬のイラスト」が選択される可能性が高くなる。
【００２０】
また更に、素材の選択に際して、素材の種類が有する属性に付けられた重み付けを勘案して選択を行う。この重み付けは、素材の種類毎に付けられている。各素材の種類が有する属性に応じた重み付けを勘案して素材を選択することで、時及び場所等に応じた、統一感のある装飾がなされたデコレーションメールを生成することが可能となる。尚、種類は１種類でも複数種類でもよく、種類の含まれる素材の数は１つでも複数でもよい。
【００２１】
例えば、素材「桜の背景のイラスト」及び素材「新緑の背景のイラスト」等を含む「季節の背景」という素材の種類があり、属性として「メールの送信地」と「メールの送信日時」とを有しているとする。この場合、属性「メールの送信地」よりも属性「メールの送信日時」の方の重み付けを重くすることで、メールを送信する季節を考慮した素材を選択できる可能性が高くなる。また、例えば、素材「象のイラスト」及び素材「白熊のイラスト」等を含む「野生動物」という素材の種類があり、属性として「メールの送信地」と「メールの送信時間」とを有しているとする。この場合、属性「メールの送信時間」よりも属性「メールの送信地」の方の重み付けを重くすることで、メールを送信するユーザの状況、すなわち、ユーザが居る地域をより的確に表す素材を選択できる可能性が高くなる。
【００２２】
更には、イラストだけでなく、メール表示中に鳴る音楽や、メール本文の文字のフォント等を素材の種類としてもよい。「音楽」が素材の種類である場合、その素材は「曲」である。「文字のフォント」が素材の種類である場合、その素材は「フォント」である。
【００２３】
実施形態１のデコレーションメール生成機能は、更に、素材選択に際して勘案する素材の重み付けをユーザが自由に変更する機能を提供する。ユーザが自由に重み付けを変更できることで、よりユーザの嗜好に合ったデコレーションメールの生成が可能となる。
【００２４】
以下、実施形態１のデコレーションメール生成機能を有する携帯電話機について説明する。
【００２５】
図１は、実施形態１の携帯電話機１０００の外観及びデコレーションメール生成時の画面の例を示す図である。
【００２６】
携帯電話機１０００は、いわゆる折り畳み式携帯電話機であり、図１は、開いた携帯電話機１０００を正面から見たところを示している。
【００２７】
携帯電話機１０００は、第１筐体１００１と第２筐体１００２と、これらを結合するヒンジ１００３とを有する。
【００２８】
第１筐体１００１は、ディスプレイ１２００を備える。
【００２９】
ユーザがデコレーションメールを生成する場合、ディスプレイ１２００には、２つの画面が並んで表示される。メール表示画面１２１０及びソフトキー表示画面１２２０である。
【００３０】
メール表示画面１２１０は、メール本文等を表示する画面である。図１では、デコレーションメールのメール本文のみが表示されている。また、メール表示画面１２１０に表示されているメールに音楽のデータが付加されている場合は、音楽が流れる。
【００３１】
ソフトキー表示画面１２２０は、文字を確定する等の操作で用いるソフトキーを表示する画面である。ソフトキーは、メール表示画面１２１０に表示されている内容に応じて異なる。例えば、図１においては、ソフトキー表示画面１２２０には、「送信」、「戻る」及び「メニュー」のソフトキーが表示されている。ソフトキー「送信」は、現在表示されているデコレーションメールを送信するためのキーである。「戻る」は、前画面に戻る為のキーである。また「メニュー」は、メニューを表示するためのキーである。
【００３２】
また、第２筐体１００２は、操作キーを備える。操作キーは、ソフトキー対応キー１０、機能キー２０及び文字入力キー３０に分類される。
【００３３】
ソフトキー対応キー１０のうち、キー１１は、中央のソフトキー、図１においては「戻る」に対応する。また、キー１３及びキー１４は、それぞれ、左のソフトキー「発信」及びソフトキー「メニュー」に対応する。
【００３４】
ソフトキー対応キー１０のうち、キー１２は、ディスプレイ１２００に表示されるカーソルを上下左右に移動するために使用するキーである。以下、「カーソルキー１２」というものとする。
【００３５】
機能キー２０のキー「発信」は、電話発信キーであり、キー「切断」は、電話通話切断キーである。キー「クリア」は、文字の入力において文字を消去するためのキーである。
【００３６】
文字入力キー３０は、いわゆるテンキーであり、それぞれのキーに対応付けされている文字を入力するためのキーである。尚、図１では、各キーには数字が記載されているが、数字の他に「あ行」〜「わ行」等が対応付けられている。例えば、キー「１」には「あ行」が、キー「２」には「か行」が割り当てられている。
【００３７】
ここで、図２及び図３を用いて、携帯電話機１０００においてデコレーションメールを生成するユーザの作業手順について説明する。
【００３８】
まず、文字のみで構成された送信メールを作成する。
【００３９】
図２は、送信メールの例を示す図である。図２では、「日付」の内容が「２００９／３／１５」であり、メールを表示しているのが２００９年３月１５日であることを示している。また、「宛先」の内容が「○子ちゃん」であるので、このメールを○子ちゃんに送信することを示している。「件名」の内容は、「お散歩」である。
【００４０】
ディスプレイ１２００に図２で示すような画面が表示されているときに、ユーザがソフトキー「送信」を押下すると、このままの文字のみで生成されたメールが○子ちゃん宛に送信される。ソフトキー「デコメ」を押下すると、図３に示すような、「デコレーションメール選択画面」が表示される。
【００４１】
図３の「デコレーションメール選択画面」には、４つのデコレーションメールの候補が表示されている。図３において、太線で囲まれたメールは、カーソルでフォーカスされているメールであることを示している。カーソルキー１２（図１参照）を押下して、カーソルを移動させる。
【００４２】
ユーザがソフトキー「確定」を押下すると、カーソルでフォーカスされているデコレーションメールが選択され、選択されたデコレーションメールがメール表示画面１２１０に拡大されて表示される（図１参照）。ユーザは、表示されたデコレーションメールを確認し、この装飾でよいと判断した場合は、ソフトキー「送信」を押下してデコレーションメールを送信する。
【００４３】
＜機能＞
以下、図４を用いて、携帯電話機１０００の機能について説明する。
【００４４】
図４は、携帯電話機１０００の機能的構成の例を示すブロック図である。
【００４５】
携帯電話機１０００は、携帯電話機が通常有する通話機能等を有するが、図４においては、デコレーションメールを生成する処理に関係する機能部のみを記載している。
【００４６】
携帯電話機１０００は、操作部１１００、ディスプレイ１２００、メール作成部１３００、メール送信部１４００、デコレーション候補表示部１５００、素材選択部１６００、ＧＰＳ（Global Positioning System）１７００、タイマ１８００、素材選択情報変更１９００、素材記憶部２０００、素材選択情報記憶部２１００、及び、電話帳記憶部２２００を有する。
【００４７】
操作部１１００は、第２筐体１００２の操作キーを含み、ユーザからの操作、例えば、キーの押下等を検出する機能を有する。
【００４８】
ディスプレイ１２００は、液晶等のディスプレイパネルを含み、メール作成部１３００が作成するメール、及び、電話帳の個人情報等を表示する機能を有する。
【００４９】
メール作成部１３００は、メールを作成する機能を有する。具体的には、操作部１１００を介して入力された文字をディスプレイ１２００に表示する等の処理を行いながら、メールを作成する。また、作成したメールを内部の作業メモリに記憶しておく。
【００５０】
メール送信部１４００は、メール作成部１３００から渡されたメールを、メールの宛先に送信する機能を有する。
【００５１】
デコレーション候補表示部１５００は、デコレーションメールの候補（以下、「候補デコレーションメール」という。）を生成し、ディスプレイ１２００に表示する機能を有する（図３参照）。詳細には、デコレーション候補表示部１５００は、複数組の素材の組み合わせを素材選択部１６００から受け取り、テンプレートの候補（以下、「候補テンプレート」という。）を生成する。デコレーション候補表示部１５００は、生成したテンプレートにメール本文を配置して候補デコレーションメールを生成する。更に、デコレーション候補表示部１５００は、生成した複数の候補デコレーションメールを縮小して表示する（図３参照）。
【００５２】
素材選択部１６００は、デコレーションメール用のテンプレートを構成する素材を選択する機能を有する。素材選択部１６００は、複数組の素材の組み合わせを決定し、デコレーション候補表示部１５００に渡す。
【００５３】
素材を選択する際に素材選択部１６００は、ＧＰＳ１７００、タイマ１８００、電話帳記憶部２２００、又は、素材選択情報記憶部２１００を、必要に応じて参照する。素材を選択する方法については、＜素材の決定処理＞の項で説明する。
【００５４】
ＧＰＳ１７００は、携帯電話機１０００の位置を、緯度経度で検出する機能を有する。
【００５５】
タイマ１８００は、メール作成部１３００等から問い合わせにより、問い合わせ時の日時を返す機能を有する。
【００５６】
素材選択情報変更部１９００は、素材毎に素材選択情報記憶部２１００に記憶されている選択情報を変更又は追加等する機能を有する。選択情報とは、各素材に対応づけられている情報であり、素材を選択する際に、素材選択部１６００が参照する情報である。選択情報の詳細は、＜データ＞の項で説明する。
【００５７】
素材記憶部２０００は、素材データを記憶する機能を有する。素材データとは、実際にメールを装飾するためのデータである。例えば、背景の素材（以下、「背景素材」という。）の素材データは、背景画像を表示するためのＪＰＥＧ（Joint Photographic Experts Group）形式等のデータである。また、音楽の素材（以下、「音楽素材」という。）の素材データは、音楽を鳴らすためのＭＰ３（MPEG Audio Layer-3）形式のデータであり、動画の素材（以下、「動画素材」という。）の素材データは、動画像を表示するためのＭＰＥＧ（Moving Picture Experts Group）Ｈ．２６４形式等のデータである。また、文字のフォントを指定する文字フォントの素材（以下、「文字フォント素材」という。）の素材データは、フォントファイルである。
【００５８】
素材選択情報記憶部２１００は、素材毎の選択情報、及び、テンプレートの構成要件等の情報を記憶しておく機能を有する。これらの情報は、素材を選択する際に素材選択部１６００によって参照される情報である。
【００５９】
電話帳記憶部２２００は、電話番号等の個人情報を記憶しておく機能を有する。これらの個人情報は、メールの宛先に関する情報として素材選択部１６００によって参照される。
【００６０】
上述した機能の全部または一部は、携帯電話機１０００の有するＣＰＵ（図示していない。）が、携帯電話機１０００のメモリ等に記録されているプログラムを実行することにより実現される。
【００６１】
＜データ＞
次に、実施形態１の携帯電話機１０００で用いるデータについて図５〜図１０を用いて説明する。
【００６２】
図５は、テンプレートの構成要素情報テーブル２１１０の構成及び内容の例を示す図である。
【００６３】
この構成要素情報テーブル２１１０は、テンプレートを構成する素材の種類を示したものであり、素材選択情報記憶部２１００に記憶されているテーブルである。
【００６４】
構成要素情報テーブル２１１０は、番号２１１１及び構成要素２１１２を有する。
【００６５】
番号２１１１は、構成要素情報テーブル２１１０に登録されている構成要素の番号を示す。
【００６６】
構成要素２１１２は、テンプレートの構成要素である素材の種類を示す。
【００６７】
例えば、図５の構成要素情報テーブル２１１０に基づいて作成されるテンプレートは、背景（季節）素材と音楽素材と文字フォント素材とで構成されるテンプレートである。すなわち、メール本文の背景に季節を表す画像が表示され、ある音楽が鳴らされ、ある文字フォントでメール本文が表示されているデコレーションメールが生成される。
【００６８】
実施形態１では、図５に示すテンプレートを生成する場合を説明する。構成要素が異なる複数の構成要素情報テーブル２１１０を記憶しておいて、ユーザがデコレーションメールを生成する際に、いずれかの構成要素情報テーブル２１１０を指定することとしてもよい。
【００６９】
次に、図６は、電話帳データ２２１０の構成及び内容の例を示す図である。
【００７０】
この電話帳データ２２１０は１つの個人情報であり、通常、複数の電話帳データ２２１０が電話帳記憶部２２００に記憶されている。
【００７１】
電話帳データ２２１０は、項目２２１１及び内容２２１２を有する。
【００７２】
項目２２１１は、電話帳データ２２１０に含まれる項目を示す。
【００７３】
内容２２１２は、項目２２１１で示される項目の内容を示す。
【００７４】
例えば、項目２２１１「名前」は、電話帳データ２２１０が誰に関するデータであるかを示し、その内容２２１２は「○子ちゃん」である。従って、この電話帳データ２２１０は、「○子ちゃん」の個人情報である。
【００７５】
図７は、素材管理テーブル２０１０の構成及び内容の例を示す図である。
【００７６】
この素材管理テーブル２０１０は、素材データを管理するテーブルであり、素材データとともに素材記憶部２０００に記憶されている。
【００７７】
素材管理テーブル２０１０は、構成要素２０１１、素材名称２０１２及びアドレス２０１３を有する。
【００７８】
構成要素２０１１は、素材の種類を示す。
【００７９】
素材名称２０１２は、構成要素２０１１で示される構成要素に属している素材の識別子を示す。実施形態１では、識別子として名称を用いる。
【００８０】
アドレス２０１３は、素材名称２０１２で示される素材の素材データの所在、例えば、記憶されている素材記憶部２０００の中のアドレスを示す。
【００８１】
例えば、素材管理テーブル２０１０では、構成要素２０１１「背景（季節）」として、素材名称２０１２「桜」、「新緑」及び「博多どんたく」の３つの素材の素材データが管理されている。素材名称２０１２が「桜」の背景素材の素材データは、アドレス２０１３「sakura-addr」で示されるアドレスに記憶されている。
【００８２】
構成要素２０１１「音楽」として、素材名称２０１２「犬のワルツ」、「犬の警察官」及び「猫のタンゴ」の３つの素材の素材データが管理されている。素材名称２０１２が「犬のワルツ」の音楽素材の素材データであるＭＰ３データ（オーディオファイル）は、アドレス２０１３「dog1-addr」で示されるアドレスに記憶されている。
【００８３】
また、構成要素２０１１「文字フォント」として、素材名称２０１２「明朝体」、「まる文字」及び「行書体」の３つの素材の素材データが管理されている。素材名称２０１２が「明朝体」の文字フォント素材の素材データであるフォントファイルは、アドレス２０１３「ｆｏｎｔ０１」で示されるファイルである。
【００８４】
図８は、背景（季節）素材の選択情報の構成及び内容の例を示す図である。
【００８５】
背景（季節）素材の選択情報は、図８（ａ）で示す構成要素属性テーブル２１２０、及び、図８（ｂ）で示す素材属性テーブル２１３０の２つのテーブルを有する。これら２つのテーブルは、素材選択情報記憶部２１００に記憶されている。尚、音楽素材及び文字フォント素材の選択情報として、それぞれ構成要素属性テーブル２１２０及び素材属性テーブル２１３０が記憶されている。音楽素材及び文字フォント素材それぞれの選択情報は、図９及び図１０を用いて後で説明する。
【００８６】
構成要素属性テーブル２１２０は、素材の種類である構成要素が有する属性と、その重み付けを示すテーブルである。属性毎に重み付けを変えることで、時及び場所等に合った、統一感のある素材を選択することが可能となる。
【００８７】
構成要素属性テーブル２１２０は、構成要素２１２１、属性２１２２、及び、優先度２１２３を有する。
【００８８】
構成要素２１２１は、素材の種類を示す。
【００８９】
属性２１２２は、構成要素２１２１で示される構成要素の属性を示す。
【００９０】
優先度２１２３は、属性２１２２で示される属性の重みを示す。
【００９１】
例えば、背景（季節）素材の場合、属性２１２２として「位置」と「日付」とを有している。「位置」は、携帯電話機１０００の所在を示し、「日付」はデコレーションメールの生成日時を示す。属性２１２２「位置」及び「日付」のそれぞれの優先度２１２３は「０．５」と「１．０」とである。すなわち、季節に関する背景素材であることから、「位置」よりも「日付」の優先度が高くなっている。従って、「位置」と「日付」の優先度が異ならない場合と比べて、季節はずれの背景素材が選択される可能性が低くなる。
【００９２】
素材属性テーブル２１３０は、各素材が有する属性の内容と、その重み付けを示すテーブルである。素材及び属性毎に重み付けを変えることで、ユーザの嗜好に合致した素材を選択することができる。従って、ユーザの個性を豊かに表現した、ユーザの所望するデコレーションメールを生成することが可能となる。
【００９３】
素材属性テーブル２１３０は、素材名称２１３１、属性２１３２、内容２１３３、及び、レベル２１３４を有する。
【００９４】
素材名称２１３１は、素材の識別子としての名称を示す。
【００９５】
属性２１３２は、素材名称２１３１で示される素材が属する構成要素の属性を示す。
【００９６】
内容２１３３は、属性２１３２で示される属性の内容を示し、レベル２１３４は、属性２１３２で示される属性の重みを示す。
【００９７】
例えば、素材名称２１３１「桜」で示される背景素材の属性２１３２「日付」のレベル２１３４は、「１０」であり、素材名称２１３１「新緑」で示される背景素材の属性２１３２「日付」のレベル２１３４は、「４」である。すなわち、ユーザは「新緑」の背景素材よりも「桜」の背景素材の方が好みであることを示している。従って、「新緑」の背景素材よりも「桜」の背景素材の方が選択される可能性が高くなり、よりユーザの嗜好に沿った素材が選択されるようになる。
【００９８】
図９は、音楽素材の選択情報の構成及び内容の例を示す図である。
【００９９】
図９（ａ）は、音楽素材の構成要素属性テーブル２１４０の内容例を示し、図９（ｂ）は、音楽素材の素材属性テーブル２１５０の内容例を示す。これら２つのテーブルの構成は、図８を用いて説明した背景（季節）素材の構成要素属性テーブル２１２０、及び、図素材属性テーブル２１３０と同様である。
【０１００】
構成要素２１２１「音楽」の属性２１２２は、「キーワード」及び「宛先の年齢」である。
【０１０１】
「キーワード」とは、メール本文中に現れる文言を示し、「宛先の年齢」とは、装飾対象のメールの送信相手の年齢を示す。
【０１０２】
また、図１０は、文字フォント素材の選択情報の構成及び内容の例を示す図である。
【０１０３】
図１０（ａ）は、文字フォント素材の構成要素属性テーブル２１６０の内容例を示し、図１０（ｂ）は、文字フォント素材の素材属性テーブル２１７０の内容例を示す。これら２つのテーブルの構成は、図８を用いて説明した背景（季節）素材の構成要素属性テーブル２１２０、及び、図素材属性テーブル２１３０と同様である。
【０１０４】
但し、構成要素２１２１「文字フォント」が有する属性２１２２は、「宛先の個人情報」の１つのみである。
【０１０５】
「宛先の個人情報」とは、装飾対象のメールの送信相手の情報を示す。
【０１０６】
＜動作＞
以下、実施形態１の携帯電話機１０００の動作について説明する。携帯電話機１０００の動作として、デコレーションメール送信処理と素材の選択情報を変更する処理とを説明する。
【０１０７】
＜デコレーションメール送信処理＞
デコレーションメール送信処理について図１１〜図１７を用いて説明する。
【０１０８】
図１１は、携帯電話機１０００のデコレーションメール送信処理のフローチャートである。
【０１０９】
ユーザが、携帯電話機１０００の文字入力キー３０等を操作して、メールの作成開始を指示する操作を行う。
【０１１０】
メールの作成開始を指示する操作を検出した操作部１１００は、その旨をメール作成部１３００に通知する。
【０１１１】
通知を受けたメール作成部１３００は、操作部１１００及びディスプレイ１２００と連携しながらメールを作成する（ステップＳ１００、図２参照）。作成したメールは、メール作成部１３００が作業メモリに記憶している。尚、作成したメールには、メール本文及び宛先が含まれている。
【０１１２】
作成したメールがディスプレイ１２００に表示されているときに、ユーザがソフトキー「デコメ」を押下する（図２参照）。
【０１１３】
ソフトキー「デコメ」の押下を検出した操作部１１００は、その旨をメール作成部１３００に通知する（ステップＳ１１０）。
【０１１４】
通知を受けたメール作成部１３００は、デコレーション候補表示部１５００に候補デコレーションメールを生成して表示するよう依頼する。依頼の際、メール作成部１３００は、作業メモリに記憶してあるメールをデコレーション候補表示部１５００に渡す。
【０１１５】
依頼を受けたデコレーション候補表示部１５００は、素材選択部１６００に候補テンプレートを生成する素材の組み合わせを決定するよう依頼する。
【０１１６】
依頼を受けた素材選択部１６００は、素材選択情報記憶部２１００の構成要素情報テーブル２１１０を読み出し（図５参照）、テンプレートの構成要素を取得する（ステップＳ１２０）。
【０１１７】
次に、素材選択部１６００は、構成要素毎に各素材の評価点を算出し（ステップＳ１３０）、候補テンプレートを生成する素材の組合せを決定する（ステップＳ１４０）。
【０１１８】
ステップＳ１３０及びステップＳ１４０の処理については、＜素材の決定処理＞の項で説明する。
【０１１９】
候補テンプレートを生成する素材の組合せを決定した素材選択部１６００は、決定した組合せをデコレーション候補表示部１５００に渡す。
【０１２０】
決定した組合せを渡されたデコレーション候補表示部１５００は、組合せに従って、素材記憶部２０００から素材データを読み出して候補テンプレートを生成する。デコレーション候補表示部１５００は、生成した候補テンプレートと、メール作成部１３００から渡されていたメールの本文とから候補デコレーションメールを生成し、ディスプレイ１２００に表示する（ステップＳ１５０、図３参照）。
【０１２１】
ユーザがカーソルキー１２を用いて、所望の候補デコレーションメールをフォーカスし、ソフトキー「確定」を押下する。
【０１２２】
ソフトキー「確定」が押下されたことを検出した操作部１１００は、その旨及びソフトキー「確定」が押下された時にフォーカスされている候補デコレーションメールを示す情報をメール作成部１３００に通知する（ステップＳ１６０）。
【０１２３】
通知を受けたメール作成部１３００は、操作部１１００から通知された情報で示される候補デコレーションメールを、デコレーション候補表示部１５００から取得する。メール作成部１３００は、取得した候補デコレーションメールをメール送信部１４００に渡して送信を依頼する。
【０１２４】
依頼を受けた１４００は、渡された候補デコレーションメールを送信する（ステップＳ１７０）。
【０１２５】
＜素材の決定処理＞
以下、図１１のフローチャートで示したデコレーションメール生成処理における、ステップＳ１３０及びステップＳ１４０の処理について説明する。
【０１２６】
ステップＳ１３０及びステップＳ１４０の処理とは、素材選択部１６００が、候補テンプレートを生成するための素材を選択し、複数組の素材の組み合わせを決定する処理である。
【０１２７】
素材の選択は、素材を評価した点数である評価点が高いものを選択する。そして、テンプレートの各構成要素からそれぞれ１素材を選択して組み合わせを作成する。組み合わされた素材の評価点の合計が高い組み合わせを、候補テンプレートを生成する組合せとして決定する。
【０１２８】
まず、素材毎に評価点を算出する。
【０１２９】
図５に示す内容の構成要素情報テーブル２１１０を基に、テンプレートを生成する場合は、構成要素２１１２「背景（季節）」、「音楽」及び「文字フォント」それぞれの素材について評価点を算出する。
【０１３０】
具体的には、素材管理テーブル２０１０に登録されている各構成要素の素材名称２０１２で示される素材の評価点を算出する。例えば、構成要素２１１２「背景（季節）」については、図７に示す素材管理テーブル２０１０の構成要素２０１１「背景（季節）」のレコードに含まれる３つの素材、すなわち、素材名称２０１２「桜」、「新緑」及び「博多どんたく」で示される素材の評価点をそれぞれ算出する。また、構成要素２１１２「音楽」及び「文字フォント」についても同様に、それぞれの素材名称２０１２で示される素材の評価点をそれぞれ算出する。
【０１３１】
図１２〜図１５を用いて、構成要素毎の素材の評価点の算出方法について説明する。
【０１３２】
メールに関する情報が、素材が有する属性の内容を満たしている場合には、属性の重み付け（優先度２１２３、図８等参照）と素材の重み付け（レベル２１３４、図８等参照）とを掛け合わせて、属性の評価点を算出する。
【０１３３】
素材が複数の属性を有する場合は、属性毎に評価点を算出し、属性の評価点の合計をその素材の評価点とする。尚、メールに関する情報が、素材が有する属性の内容を満たしていない場合は、素材の重み付け（レベル２１３４）はゼロとして算出する。すなわち、その属性の評価点はゼロとなる。
【０１３４】
まず、図１２及び図１３を用いて、背景素材の評価点を算出する評価処理について説明する。
【０１３５】
図１２は、背景素材の評価処理を示すフローチャートである。
【０１３６】
図１３は、素材名称２１３１「新緑」で示される背景素材（以下、「背景素材「新緑」」という。）の評価点の算出例を示す図である。
【０１３７】
図１３には、「素材の選択情報」として、評価点の算出に必要な選択情報を記載している。具体的には、素材属性テーブル２１３０から素材名称２１３１が「新緑」のレコードと、構成要素属性テーブル２１２０から優先度２１２３とを記載している。また、「メール＆端末の情報」として、素材の評価点の算出に必要な、装飾対象のメールに関する情報（以下、「メール情報」という。）を記載している。具体的には、デコレーションメールを生成しているときの、携帯電話機１０００の位置と日付である。
【０１３８】
図１３を参照しながら、図１２のフローチャートを説明する。
【０１３９】
背景素材の属性２１２２は「位置」及び「日付」である（図８参照）。従って、評価対象の背景素材の評価点を求めるために、背景素材の属性２１３２「位置」の評価点と、属性２１３２「日付」の評価点とを求める。
【０１４０】
素材選択部１６００は、ＧＰＳ１７００に携帯電話機１０００自身が存在する緯度経度を要求する。
【０１４１】
要求されたＧＰＳ１７００は、ＧＰＳ１７００自身が在る場所の緯度経度を算出し、素材選択部１６００に通知する。
【０１４２】
緯度経度の通知を受けた素材選択部１６００は、緯度経度から住所を求める（ステップＳ２００）。素材選択部１６００は、緯度経度から住所を求める機能を有しているものとする。
【０１４３】
次に、素材選択部１６００は、素材選択情報記憶部２１００に記憶されている素材属性テーブル２１３０を参照し、評価対象の背景素材の属性２１３２「位置」の内容２１３３として設定されている条件を、求めた住所が満たしているかを判断する（ステップＳ２１０）。
【０１４４】
例えば、図１３において、属性２１３２「位置」の内容２１３３として「日本全国」が設定されている。また、メール情報４０は、「位置：京都」である。従って、メール情報４０「位置：京都」は、属性２１３２「位置」の内容２１３３「日本全国」を満たしている。
【０１４５】
携帯電話機１０００の位置が属性２１３２「位置」の内容２１３３として設定されている条件を満たしている場合（ステップＳ２１０：Ｙｅｓ）、素材選択部１６００は、構成要素属性テーブル２１２０を参照し、背景素材の属性２１２２「位置」の優先度２１２３として設定されている値を読み出す。また、素材選択部１６００は、素材属性テーブル２１３０を参照し、評価対象の背景素材の属性２１３２「位置」のレベル２１３４として設定されている値を読み出す。
【０１４６】
値を読み出した素材選択部１６００は、優先度２１２３として設定されていた値と、レベル２１３４として設定されていた値とを掛け合わせた値を求め、求めた値を評価対象の背景素材の属性２１３２「位置」の評価点とする（ステップＳ２２０）。
【０１４７】
例えば、図１３において、属性２１３２「位置」の評価点４２は、属性２１３２「位置」の優先度２１２３「０．５」と、素材の属性２１３２「位置」のレベル２１３４「４」とを掛け合わせた「２」となる。
【０１４８】
一方、携帯電話機１０００の位置が属性２１３２「位置」の内容２１３３として設定されている条件を満たしていない場合（ステップＳ２１０：Ｎｏ）、素材選択部１６００は、ゼロを評価対象の背景素材の属性２１３２「位置」の評価点とする（ステップＳ２３０）。
【０１４９】
属性２１３２「位置」の評価点を求めた素材選択部１６００は、次に、属性２１３２「日付」の評価点を求める。
【０１５０】
素材選択部１６００は、タイマ１８００に現在の日時を要求する。
【０１５１】
要求されたタイマ１８００は、現在の日時を取得し、素材選択部１６００に通知する。
【０１５２】
日時の通知を受けた素材選択部１６００は（ステップＳ２４０）、素材選択情報記憶部２１００に記憶されている素材属性テーブル２１３０を参照し、評価対象の背景素材の属性２１３２「日時」の内容２１３３として設定されている条件を、求めた日時が満たしているかを判断する（ステップＳ２５０）。
【０１５３】
求めた日時が属性２１３２「日時」の内容２１３３として設定されている条件を満たしている場合（ステップＳ２５０：Ｙｅｓ）、素材選択部１６００は、構成要素属性テーブル２１２０を参照し、背景素材の属性２１２２「日時」の優先度２１２３として設定されている値を読み出す。また、素材選択部１６００は、素材属性テーブル２１３０を参照し、評価対象の背景素材の属性２１３２「日時」のレベル２１３４として設定されている値を読み出す。
【０１５４】
値を読み出した素材選択部１６００は、優先度２１２３として設定されていた値と、レベル２１３４として設定されていた値とを掛け合わせた値を求め、求めた値を評価対象の背景素材の属性２１３２「日時」の評価点とする（ステップＳ２６０）。
【０１５５】
一方、求めた日時が属性２１３２「日時」の内容２１３３として設定されている条件を満たしていない場合（ステップＳ２５０：Ｎｏ）、素材選択部１６００は、ゼロを評価対象の背景素材の属性２１３２「日時」の評価点とする（ステップＳ２７０）。
【０１５６】
例えば、図１３において、属性２１３２「日付」の内容２１３３として「３／２０〜５／２０」、すなわち、３月２０日から５月２０日までの日付が設定されている。メール情報４１は、「日付：２００９／３／１５」、すなわち、２００９年３月１５日である。従って、メール情報４１「日付：２００９／３／１５」は、属性２１３２「日付」の内容２１３３「３／２０〜５／２０」を満たしていない。
【０１５７】
よって、属性２１３２「日付」の評価点４３は、属性２１３２「日付」の優先度２１２３「１．０」と、素材の属性２１３２「日付」のレベル２１３４「０（ゼロ）」とを掛け合わせた「０」となる。
【０１５８】
属性２１３２「位置」の評価点と、属性２１３２「日付」の評価点とを求めた素材選択部１６００は、求めた２つの評価点を合算し、評価対象の背景素材の評価点とする（ステップＳ２８０）。
【０１５９】
例えば、図１３において、素材名称２１３１「新緑」で示される素材の評価点４４は、属性２１３２「位置」の評価点「２」と、属性２１３２「日付」の評価点「０」とを加算した「２．０」となる。
【０１６０】
次に、音楽素材の評価処理を説明する。
【０１６１】
図１４は、音楽素材の評価処理を示すフローチャートである。
【０１６２】
音楽素材の属性２１２２は「キーワード」及び「宛先の年齢」である（図９参照）。従って、音楽素材の評価点を求めるために、音楽素材の属性２１３２「キーワード」の評価点と、属性２１３２「宛先の年齢」の評価点とを求める。
【０１６３】
素材選択部１６００は、素材選択情報記憶部２１００に記憶されている音楽素材の素材属性テーブル２１５０を参照し、評価対象の音楽素材の属性２１３２「キーワード」の内容２１３３として設定してあるキーワードを読み出す（ステップＳ３００）。
【０１６４】
キーワードを読み出した素材選択部１６００は、読み出したキーワードがメール本文に在るかを検索する（ステップＳ３１０）。メール本文は、デコレーション候補表示部１５００から取得する。
【０１６５】
キーワードがメール本文に在る場合（ステップＳ３１０：Ｙｅｓ）、素材選択部１６００は、構成要素属性テーブル２１４０を参照し、評価対象の音楽素材の属性２１２２「キーワード」の優先度２１２３として設定されている値を読み出す。また、素材選択部１６００は、素材属性テーブル２１５０を参照し、評価対象の音楽素材の属性２１３２「キーワード」のレベル２１３４として設定されている値を読み出す。
【０１６６】
値を読み出した素材選択部１６００は、優先度２１２３として設定されていた値と、レベル２１３４として設定されていた値とを掛け合わせた値を求め、求めた値を評価対象の音楽素材の属性２１３２「キーワード」の評価点とする（ステップＳ３２０）。
【０１６７】
一方、キーワードがメール本文に無い場合（ステップＳ３１０：Ｎｏ）、素材選択部１６００は、ゼロを評価対象の音楽素材の属性２１３２「キーワード」の評価点とする（ステップＳ３３０）。
【０１６８】
属性２１３２「キーワード」の評価点を求めた素材選択部１６００は、次に、属性２１３２「宛先の年齢」の評価点を求める。
【０１６９】
素材選択部１６００は、電話帳記憶部２２００に記憶されている電話帳データ２２１０を参照し、宛先となるメール受信者の年齢を求める（ステップＳ３４０）。
【０１７０】
具体的には、素材選択部１６００は、デコレーション候補表示部１５００から装飾対象のメールの宛先を取得し、取得した宛先の電話帳データ２２１０を参照する。例えば、デコレーション候補表示部１５００から取得した宛先が名前「○子ちゃん」であった場合は、項目２２１１「名前」が内容２２１２「○子ちゃん」の電話帳データ２２１０を参照する（図６参照）。項目２２１１「生年月日」の内容２２１２「１９９８／０７／ｘｘ」から、生年月日が１９９８年７月ｘｘ日であることが分かるので、宛先のメール受信者は１１歳であることが求まる。
【０１７１】
宛先の年齢を求めた素材選択部１６００は、素材選択情報記憶部２１００に記憶されている素材属性テーブル２１３０を参照し、評価対象の音楽素材の属性２１３２「宛先の年齢」の内容２１３３として設定されている条件を、求めた年齢が満たしているかを判断する（ステップＳ３５０）。
【０１７２】
例えば、属性２１３２「宛先の年齢」の内容２１３３として「〜１４」、すなわち、１４歳までが対象である旨が設定されている場合は、求めた年齢が１１歳の場合には、条件を満たしていると判断する。
【０１７３】
求めた年齢が属性２１３２「宛先の年齢」の内容２１３３として設定されている条件を満たしている場合（ステップＳ３５０：Ｙｅｓ）、素材選択部１６００は、構成要素属性テーブル２１４０を参照し、音楽素材の属性２１２２「宛先の年齢」の優先度２１２３として設定されている値を読み出す。また、素材選択部１６００は、素材属性テーブル２１５０を参照し、評価対象の音楽素材の属性２１３２「宛先の年齢」のレベル２１３４として設定されている値を読み出す。
【０１７４】
値を読み出した素材選択部１６００は、優先度２１２３として設定されていた値と、レベル２１３４として設定されていた値とを掛け合わせた値を求め、求めた値を評価対象の音楽素材の属性２１３２「宛先の年齢」の評価点とする（ステップＳ３６０）。
【０１７５】
一方、求めた年齢が属性２１３２「宛先の年齢」の内容２１３３として設定されている条件を満たしていない場合（ステップＳ３５０：Ｎｏ）、素材選択部１６００は、ゼロを評価対象の音楽素材の属性２１３２「宛先の年齢」の評価点とする（ステップＳ３７０）。
【０１７６】
属性２１３２「キーワード」の評価点と、属性２１３２「宛先の年齢」の評価点とを求めた素材選択部１６００は、求めた２つの評価点を合算し、評価対象の音楽素材の評価点とする（ステップＳ３８０）。
【０１７７】
次に、文字フォント素材の評価処理を説明する。
【０１７８】
図１５は、文字フォント素材の評価処理を示すフローチャートである。
【０１７９】
文字フォント素材の属性２１２２は「宛先の個人情報」である（図１０参照）。従って、文字フォント素材の評価点を求めるために、文字フォント素材の属性２１３２「宛先の個人情報」の評価点を求める。
【０１８０】
素材選択部１６００は、素材選択情報記憶部２１００に記憶されている文字フォント素材の素材属性テーブル２１７０を参照し、評価対象の文字フォント素材の属性２１３２「宛先の個人情報」の内容２１３３として設定してある個人情報（以下、「評価条件情報」という。）を読み出す（ステップＳ４００）。
【０１８１】
評価条件情報を読み出した素材選択部１６００は、電話帳記憶部２２００に記憶されている電話帳データ２２１０を参照する。具体的には、素材選択部１６００は、デコレーション候補表示部１５００から装飾対象のメールの宛先を取得し、取得した宛先の電話帳データ２２１０を参照する。
【０１８２】
例えば、デコレーション候補表示部１５００から取得した宛先が名前「○子ちゃん」であった場合は、項目２２１１「名前」が内容２２１２「○子ちゃん」の電話帳データ２２１０を参照する（図６参照）。
【０１８３】
素材選択部１６００は、読み出した評価条件情報が、電話帳データ２２１０に登録されている個人情報と合致するかを判断する（ステップＳ４１０）。
【０１８４】
例えば、読み出した評価条件情報が「５０歳〜」、すなわち、５０歳以上が対象である旨とする。この場合は、電話帳データ２２１０から求めた「○子ちゃん」の年齢が１１歳の場合には、条件を満たしていないと判断する。
【０１８５】
電話帳データ２２１０に記載されている内容が、評価条件情報を満たしている場合（ステップＳ４１０：Ｙｅｓ）、素材選択部１６００は、構成要素属性テーブル２１６０を参照し、文字フォント素材の属性２１２２「宛先の個人情報」の優先度２１２３として設定されている値を読み出す。また、素材選択部１６００は、素材属性テーブル２１７０を参照し、評価対象の文字フォント素材の属性２１３２「宛先の個人情報」のレベル２１３４として設定されている値を読み出す。
【０１８６】
値を読み出した素材選択部１６００は、優先度２１２３として設定されていた値と、レベル２１３４として設定されていた値とを掛け合わせた値を求め、求めた値を評価対象の文字フォント素材の属性２１３２「宛先の個人情報」の評価点とする（ステップＳ４２０）。
【０１８７】
一方、電話帳データ２２１０に記載されている内容が、評価条件情報を満たしていない場合（ステップＳ４１０：Ｎｏ）、素材選択部１６００は、ゼロを評価対象の文字フォント素材の属性２１３２「宛先の個人情報」の評価点とする（ステップＳ４３０）。
【０１８８】
属性２１３２「宛先の個人情報」の評価点を求めた素材選択部１６００は、求めた評価点を、評価対象の文字フォント素材の評価点とする。
【０１８９】
図１６に、構成要素２１１２「背景（季節）」、「音楽」及び「文字フォント」（図５参照）それぞれの素材について評価点を算出した結果を示す。
【０１９０】
メール情報５０「キーワード：いぬ」は、メール本文中に存在するキーワードを示している。ここでは、素材の評価に関係するキーワードのみを記載している。
【０１９１】
メール情報５１「宛先の個人情報：○子、女性、１２歳」は、電話帳記憶部２２００に記憶されている電話帳データ２２１０の情報である。ここでは、素材の評価に関係する情報のみを記載している。
【０１９２】
背景素材、音楽素材及び文字フォント素材それぞれの素材について評価点を算出した素材選択部１６００は、次に、素材の組み合わせの評価点を算出する。
【０１９３】
具体的には、図１７の組み合わせ一覧１６１０に示すように、組み合わせ毎の評価点を算出する。
【０１９４】
構成要素１６１１は、「背景（季節）」、「音楽」及び「文字フォント」の３つであり、素材名称１６１２で示される素材がそれぞれ３つずつあることから、各構成要素から１つの素材を選択して組み合わせた場合の組み合わせは、第１組６１４〜第２７組１６１７の２７組あることになる。
【０１９５】
素材の評価点１６１３は、図１６で示した各素材の評価点である。第１組１６１４等の「−」は、選択されていないことを示す。
【０１９６】
組み合わせ一覧１６１０では、組み合わせの評価点の合計が高い順に第１組１６１４から順に並べている。すなわち、第１組１６１４は、背景素材の「桜」と、音楽素材の「犬の警察官」と、文字フォント素材の「まる文字」との組み合わせであり、評価点の合計は最も高い「２７．８」である。
【０１９７】
第２組１６１５は、背景素材の「桜」と、音楽素材の「犬の警察官」と、文字フォント素材の「明朝体」との組み合わせであり、評価点の合計は「２２．８」であり、第３組１６１６は、背景素材の「桜」と、音楽素材の「犬のワルツ」と、文字フォント素材の「まる文字」との組み合わせであり、評価点の合計は「２１．５」である。
【０１９８】
第２７組１６１７は、背景素材の「博多どんたく」と、音楽素材の「猫のタンゴ」と、文字フォント素材の「行書体」との組み合わせであり、評価点の合計は最も低い「２．１」である。
【０１９９】
素材選択部１６００は、組み合わせ一覧１６１０から、評価点の合計が高い組み合わせを、候補テンプレートを生成する組合せとして決定する。例えば、３つの候補テンプレートを決定する場合は、第１組１６１４〜第３組１６１６を、候補テンプレートを生成する組合せとして決定し、デコレーション候補表示部１５００に渡す。
【０２００】
＜素材の選択情報を変更する処理＞
素材の選択情報を変更する処理について図１８を用いて説明する。
【０２０１】
図１８は、素材の選択情報を変更する場合の画面遷移を示す図である。
【０２０２】
この処理は、素材選択情報変更部１９００が行う処理である。
【０２０３】
ここでは、背景素材「新緑」の属性の内容を変更する処理を例に説明する。
【０２０４】
ユーザが、携帯電話機１０００の文字入力キー３０等を操作して、素材に付加されている選択情報の変更開始を指示する操作を行う。
【０２０５】
選択情報の変更開始を指示する操作を検出した操作部１１００は、その旨を素材選択情報変更部１９００に通知する。通知を受けた素材選択情報変更部１９００は、操作部１１００及びディスプレイ１２００と連携しながら選択情報を変更する処理を開始する。
【０２０６】
まず、素材選択情報変更部１９００は、素材選択情報記憶部２１００に記憶されている素材管理テーブル２０１０を参照して（図７参照）、素材の一覧をディスプレイ１２００に表示する（画面１参照）。
【０２０７】
画面１が表示された状態で、ユーザがカーソルキー１２を押下し、「新緑」をフォーカスしたまま、ソフトキー「選択」を押下する。
【０２０８】
操作部１１００を介して、背景素材「新緑」が選択されたことを検出した素材選択情報変更部１９００は、背景素材の構成要素属性テーブル２１２０を参照し（図８参照）、属性２１２２を読み出して「位置」及び「日付」を表示する（画面２参照）。
【０２０９】
画面２が表示された状態で、ユーザが「位置」及び「日付」の双方のチェックボックスにチェックを入れて、ソフトキー「選択」を押下する。
【０２１０】
操作部１１００を介して、「位置」及び「日付」の双方の属性が選択されたことを検出した素材選択情報変更部１９００は、まず、ユーザに、属性「位置」の新しい内容を入力させるための画面を表示する。具体的には、「一覧から」及び「現在地から」の２つのチェック項目を表示する（画面３参照）。
【０２１１】
画面３が表示された状態で、ユーザが「現在地から」のチェックボックスにチェックを入れて、ソフトキー「選択」を押下する。
【０２１２】
操作部１１００を介して、「現在地から」が選択されたことを検出した素材選択情報変更部１９００は、ＧＰＳ１７００から緯度経度を取得し、取得した緯度経度で示される地点が含まれる国、都道府県、市町村の３段階の地域名を求め、表示する（画面４参照）。例えば、「日本国」、「兵庫県」及び「神戸市」を表示する。尚、「一覧から」が選択された場合は、国名の一覧を表示する。
【０２１３】
画面４が表示された状態で、ユーザが「兵庫県」のチェックボックスにチェックを入れて、ソフトキー「選択」を押下する。
【０２１４】
操作部１１００を介して、「兵庫県」が選択されたことを検出した素材選択情報変更部１９００は、位置として「兵庫県」が選択されたことを作業メモリに記憶する。次に、「レベル」の入力ボックスを表示する（画面５参照）。
【０２１５】
画面５が表示された状態で、ユーザが「レベル」の入力ボックスに「６」を入れて、ソフトキー「確定」を押下する。
【０２１６】
操作部１１００を介して、「６」が入力されたことを検出した素材選択情報変更部１９００は、レベルの値として「６」を作業メモリに記憶する。次に、ユーザに、属性「日付」の新しい内容を入力させるための画面を表示する。具体的には、期間を指定するための日付を入力する入力ボックスを表示する（画面６参照）。
【０２１７】
画面６が表示された状態で、ユーザが日付を入力ボックスに入れて、ソフトキー「確定」を押下する。例えば、４月５日〜５月２０日を入力する。
【０２１８】
操作部１１００を介して、「４月５日〜５月２０日」の期間が入力されたことを検出した素材選択情報変更部１９００は、日付として「４月５日〜５月２０日」を作業メモリに記憶する。次に、「レベル」の入力ボックスを表示する（画面７参照）。
【０２１９】
画面７が表示された状態で、ユーザが「レベル」の入力ボックスに「９」を入れて、ソフトキー「確定」を押下する。
【０２２０】
操作部１１００を介して、「９」が入力されたことを検出した素材選択情報変更部１９００は、レベルの値として「９」を作業メモリに記憶する。次に、ユーザに、属性「位置」及び属性「日付」の新しい内容を確認させるために、新しい内容を画面に表示する（画面８参照）。
【０２２１】
画面８が表示された状態で、ユーザがソフトキー「確定」を押下する。
【０２２２】
操作部１１００を介して、ソフトキー「確定」が押下されたことを検出した素材選択情報変更部１９００は、背景素材の素材属性テーブル２１３０の素材名称２１３１「新緑」のレコードの内容を、ユーザが入力した内容で更新する。
【０２２３】
具体的には、選択された位置として記憶してある「兵庫県」及び入力されたレベルの値として記憶してある「６」を、素材名称２１３１「新緑」の属性２１２２「位置」の内容２１３３及びレベル２１３４としてそれぞれ設定する。また、入力された日付として記憶してある「４月５日〜５月２０日」及び入力されたレベルの値として記憶してある「９」を、素材名称２１３１「新緑」の属性２１２２「日付」の内容２１３３及びレベル２１３４としてそれぞれ設定する。
＜実施形態２＞
実施形態１では、装飾対象のメールに関する情報を基に、複数の素材を評価し、評価の高い素材を組み合わせて、装飾対象のメールに固有のテンプレートを作成した。
【０２２４】
実施形態２では、既存のテンプレートの中から、装飾対象のメールに適したテンプレートを選択する。実施形態２において、テンプレートを選択する際に、素材を評価する点は実施形態１と同様であるが、評価する素材は既存のテンプレートの素材である点が異なる。
【０２２５】
＜機能＞
以下、図１９を用いて、実施形態２の携帯電話機１０２０の機能について説明する。
【０２２６】
図１９は、携帯電話機１０２０の機能的構成の例を示すブロック図である。
【０２２７】
携帯電話機１０２０は、図４を用いて説明した実施形態１の携帯電話機１０００とほぼ同様の機能ブロックの構成を有する。従って、ここでは携帯電話機１０２０が携帯電話機１０００と頃なる機能を中心に説明する。
【０２２８】
携帯電話機１０２０は、携帯電話機１０００のデコレーション候補表示部１５００、素材選択部１６００及び素材記憶部２０００に代えて、デコレーション候補表示部３５００、テンプレート選択部３６００及びテンプレート記憶部３１００を有する。
【０２２９】
デコレーション候補表示部３５００は、実施形態１のデコレーション候補表示部１５００と同様に、候補デコレーションメールを生成してディスプレイ１２００に表示する機能を有する。
【０２３０】
但し、実施形態１のデコレーション候補表示部１５００は、素材記憶部２０００から読み出した素材を組み合わせて候補テンプレートを生成するが、実施形態２のデコレーション候補表示部３５００は、候補テンプレートとして、テンプレート記憶部３１００から既存のテンプレートを読み出して用いる。
【０２３１】
デコレーション候補表示部３５００は、テンプレート記憶部３１００に記憶されている各テンプレートを構成する素材をテンプレート選択部３６００に通知し、候補テンプレートをテンプレート選択部３６００から取得する。
【０２３２】
テンプレート選択部３６００は、候補テンプレートを選択する機能を有する。
【０２３３】
具体的には、デコレーション候補表示部３５００から通知された各テンプレートを構成する各素材を評価し、テンプレート毎の評価点の合計を算出する。テンプレート選択部３６００は、算出した評価点の高いテンプレートの識別子をデコレーション候補表示部３５００に通知する。尚、テンプレート選択部３６００が行う素材の評価処理は、実施形態１の素材選択部１６００が行う評価処理と同じである。
【０２３４】
テンプレート記憶部３１００は、既存のテンプレートを記憶する機能を有する。具体的には、実施形態１の素材記憶部２０００が記憶するデータに加えて、既存のテンプレート毎に、テンプレートを構成する素材の識別子の組を記憶する。
【０２３５】
＜データ＞
携帯電話機１０２０で用いるデータは、実施形態１の携帯電話機１０００で用いるデータと同様である。
【０２３６】
加えて、既存のテンプレート毎に、テンプレートを構成する素材の識別子の組を示すデータを、テンプレート記憶部３１００に記憶している。
【０２３７】
＜動作＞
以下、実施形態２の携帯電話機１０２０の動作について説明する。携帯電話機１０２０は、携帯電話機１０００と同様に、デコレーションメール送信処理と素材の選択情報を変更する処理とを行う機能を有する。
【０２３８】
ここでは、携帯電話機１０２０が行うデコレーションメール送信処理について、実施形態１の携帯電話機１０００と異なる処理を中心に説明する。尚、素材の選択情報を変更する処理は、携帯電話機１０００と同様である。
【０２３９】
＜デコレーションメール送信処理＞
デコレーションメール送信処理について図２０及び図２１を用いて説明する。
【０２４０】
図２０は、携帯電話機１０２０のデコレーションメール送信処理のフローチャートである。
【０２４１】
ユーザが、携帯電話機１０００の文字入力キー３０等を操作して、メールの作成開始を指示する操作を行う。
【０２４２】
メールの作成開始を指示する操作を検出した操作部１１００は、その旨をメール作成部１３００に通知する。通知を受けたメール作成部１３００は、操作部１１００及びディスプレイ１２００と連携しながらメールを作成する（ステップＳ１００、図２参照）。
【０２４３】
作成したメールがディスプレイ１２００に表示されているときに、ユーザがソフトキー「デコメ」が押下する（図２参照）。
【０２４４】
ソフトキー「デコメ」の押下を検出した操作部１１００は、その旨をメール作成部１３００に通知する（ステップＳ５００）。
【０２４５】
通知を受けたメール作成部１３００は、デコレーション候補表示部３５００に候補デコレーションメールを生成して表示するよう依頼する。
【０２４６】
依頼を受けたデコレーション候補表示部３５００は、テンプレート選択部３６００に候補テンプレートの選択を依頼する。この依頼の際、デコレーション候補表示部３５００は、テンプレート記憶部３１００から既存の各テンプレートを構成する素材の組のデータを読み出して、テンプレート選択部３６００に渡す（ステップＳ５１０）。
【０２４７】
依頼を受けたテンプレート選択部３６００は、各テンプレートを構成する各素材の評価点を算出する（ステップＳ５２０）。このテンプレート選択部３６００が行う素材の評価点の算出方法は、実施形態１の＜素材の決定処理＞の項で説明した素材選択部１６００が行う処理と同じである。
【０２４８】
各素材について評価点を算出したテンプレート選択部３６００は、次に、テンプレートの評価点を求める（ステップＳ５３０）。具体的には、テンプレート毎に、テンプレートを構成する素材の評価点の合計を算出し、テンプレートの評価点とする。
【０２４９】
具体的には、図２１の組み合わせ一覧１６２０に示すように、テンプレート毎の評価点を算出する。
【０２５０】
例えば、構成要素１６１１は、「背景（季節）」、「音楽」及び「文字フォント」の３つであり、素材名称１６１２で示される素材がそれぞれ３つずつある。また、既存のテンプレートは、第１テンプレート１６２１〜第４テンプレート１６２４の４つである。
【０２５１】
素材の評価点１６１３は、テンプレート選択部３６００が求めた、素材名称１６１２で示される素材の評価点である。第１テンプレート１６２１等の「−」は、構成要素ではないないことを示す。
【０２５２】
テンプレート選択部３６００は、第１テンプレート１６２１〜第４テンプレート１６２４の各テンプレートを構成する素材の評価点の合計を求め、テンプレートの評価点とする。
【０２５３】
各テンプレートの評価点をテンプレート選択部３６００は、評価点の高いテンプレートを候補テンプレートとして、デコレーション候補表示部３５００に通知する。
【０２５４】
例えば、テンプレート選択部３６００は、組み合わせ一覧１６２０から候補テンプレートとして、第３テンプレート１６２３と第１テンプレート１６２１とを選択して、デコレーション候補表示部３５００に渡す（ステップＳ５４０）。
【０２５５】
候補テンプレートを渡されたデコレーション候補表示部３５００は、候補テンプレートを、テンプレート記憶部３１００から読み出し、読み出した候補テンプレートと、メール作成部１３００から渡されていたメールの本文とから候補デコレーションメールを生成し、ディスプレイ１２００に表示する（ステップＳ５４０、図３参照）。
【０２５６】
ユーザがカーソルキー１２を用いて、所望の候補デコレーションメールをフォーカスし、ソフトキー「確定」を押下する。
【０２５７】
ソフトキー「確定」が押下されたことを検出した操作部１１００は、その旨及びソフトキー「確定」が押下された時にフォーカスされている候補デコレーションメールを示す情報をメール作成部１３００に通知する（ステップＳ１６０）。
【０２５８】
通知を受けたメール作成部１３００は、操作部１１００から通知された情報で示される候補デコレーションメールを、デコレーション候補表示部１５００から取得し、取得した候補デコレーションメールをメール送信部１４００に渡して送信を依頼する。
【０２５９】
依頼を受けた１４００は、渡された候補デコレーションメールを送信する（ステップＳ１７０）。
＜実施形態３＞
実施形態２では、装飾対象のメールに適したテンプレートを、既存のテンプレートの中から選択する方法として、テンプレートの評価点、すなわち、テンプレートを構成する素材の評価点の合計を用いた。
【０２６０】
実施形態３では、最初に、素材の最適な組み合わせを求め、求めた組合せに含まれる素材を多く含む既存のテンプレートを候補テンプレートとして選択する。
【０２６１】
＜機能＞
実施形態３の携帯電話機１０３０は、実施形態２の携帯電話機１０２０とほぼ同様の機能を有するため、図１９の携帯電話機１０２０の機能的構成の例を示すブロック図を用いて、実施形態３の携帯電話機を説明する。
【０２６２】
実施形態３の携帯電話機１０３０は、実施形態２の携帯電話機１０２０と比べて、テンプレート選択部３６００の機能が異なる。
【０２６３】
実施形態２のテンプレート選択部３６００が、既存のテンプレートの評価点から候補テンプレートを選択したが、実施形態３のテンプレート選択部３６００は、素材の最適な組み合わせを求め、求めた素材を多く含むテンプレートを候補テンプレートとして選択する。
【０２６４】
＜データ＞
携帯電話機１０３０で用いるデータは、実施形態２の携帯電話機１０２０で用いるデータと同様である。
【０２６５】
＜動作＞
以下、実施形態３の携帯電話機１０３０の動作について説明する。
【０２６６】
ここでは、実施形態３の携帯電話機１０３０が行うデコレーションメール送信処理について、実施形態２の携帯電話機１０２０と異なる処理を中心に説明する。
【０２６７】
＜デコレーションメール送信処理＞
デコレーションメール送信処理について図２２及び図２３を用いて説明する。
【０２６８】
図２２は、携帯電話機１０３０のデコレーションメール送信処理のフローチャートである。
【０２６９】
ユーザが、携帯電話機１０００の文字入力キー３０等を操作して、メールの作成開始を指示する操作を行う。
【０２７０】
メールの作成開始を指示する操作を検出した操作部１１００は、その旨をメール作成部１３００に通知する。通知を受けたメール作成部１３００は、操作部１１００及びディスプレイ１２００と連携しながらメールを作成する（ステップＳ１００、図２参照）。
【０２７１】
作成したメールがディスプレイ１２００に表示されているときに、ユーザがソフトキー「デコメ」が押下する（図２参照）。
【０２７２】
ソフトキー「デコメ」の押下を検出した操作部１１００は、その旨をメール作成部１３００に通知する（ステップＳ５００）。
【０２７３】
通知を受けたメール作成部１３００は、デコレーション候補表示部３５００に候補デコレーションメールを生成して表示するよう依頼する。
【０２７４】
依頼を受けたデコレーション候補表示部３５００は、テンプレート選択部３６００に候補テンプレートの選択を依頼する。この依頼の際、デコレーション候補表示部３５００は、テンプレート記憶部３１００から既存の各テンプレートを構成する素材の組のデータを読み出して、テンプレート選択部３６００に渡す（ステップＳ５１０）。
【０２７５】
依頼を受けたテンプレート選択部３６００は、テンプレート記憶部３１００に記憶されている各素材の評価点を算出する（ステップＳ６１０）。このテンプレート選択部３６００が行う素材の評価点の算出方法は、実施形態１の＜素材の決定処理＞の項で説明した素材選択部１６００が行う処理と同じである。
【０２７６】
各素材について評価点を算出したテンプレート選択部３６００は、次に、素材の最適な組み合わせを求める（ステップＳ６２０）。このテンプレート選択部３６００が行う処理は、実施形態１の＜素材の決定処理＞の項で説明した候補テンプレートの素材の組み合わせを決定する処理と同じである（図１７参照）。ここでは、最も評価点の高い組み合わせを最適な組み合わせと決定する。例えば、図１７の組み合わせ一覧１６１０においては、評価点の合計が最も高い第１組１６１４の組み合わせが、最適な組み合わせと決定される。
【０２７７】
最適な組み合わせを決定したテンプレート選択部３６００は、最適な組み合わせを構成する素材（以下、「最適素材」という。）を、最も多く含むテンプレートを候補テンプレートとして選択する（ステップＳ６３０）。
【０２７８】
具体的には、図２３の組み合わせ一覧１６３０に示すように、テンプレート毎に含まれる最適素材の数を求める。図２３では、共通素材の個数として示している。
【０２７９】
例えば、最適な組み合わせ１６３１で示される素材は、「桜」、「犬の警察官」及び「まる字」の３つの素材である。第１テンプレート１６３２〜第３テンプレート１６３４のうち、第１テンプレート１６３１の共通素材「２」が最も個数が多いこととなる。
【０２８０】
テンプレート選択部３６００は、共通素材の個数が多いテンプレートを候補テンプレートとして、例えば、第１テンプレート１６３２と第２テンプレート１６３３とをデコレーション候補表示部３５００に通知する。
【０２８１】
候補テンプレートを渡されたデコレーション候補表示部３５００は、候補デコレーションメールを生成し、ディスプレイ１２００に表示する（ステップＳ５４０、図３参照）。
【０２８２】
ステップＳ１６０及びステップＳ１７０の処理は、実施形態２の処理を示す図２０のフローチャートのステップＳ１６０及びステップＳ１７０の処理と同様である。
【０２８３】
＜補足＞
以上、本発明の実施形態について説明したが、本発明は上記形態に限らず、以下のようにしてもよい。
（１）実施形態では、優先度２１２３及びレベル２１３４（図８等参照）を考慮して、各素材の評価点を算出することとしているが、他の要素を考慮して評価点を算出することとしてもよい。
【０２８４】
例えば、テンプレート及び素材の人気度を考慮してもよい。人気度は、例えば、ダウンロード数、及び、評価ランク等をいう。
【０２８５】
ダウンロード数とは、実際に、ネットワーク上のユーザ間でダウンロードされた回数をいい、この回数が多いことは人気があることを意味する。素材をダウンロードした際に、同時に、このダウンロード数に応じた評価をダウンロードするようにしておくことで、素材の評価点に人気度を加味することが可能となる。
【０２８６】
例えば、デコレーション素材の管理サーバは、図２４に示すような点数付加要素情報２１８０を記憶しておき、素材のダウンロード時に該当する付加点数２１８３を素材と共にダウンロードさせる。例えば、点数付加要素２１８１「ダウンロード数」の順位２１８２「１位」は、構成要素２１８４「背景（季節）」の素材名称２１８５「桜」であり、付加点数２１８３「３点」である。従って、構成要素２１８４「背景（季節）」の素材名称２１８５「桜」で示される素材がダウンロードされる場合は、付加点数２１８３「３点」を素材と共にダウンロードさせる。この「３点」は、例えば、素材選択部１６００が算出した背景素材「桜」の評価点に加算されて、背景素材「桜」の評価点となるなどである。
【０２８７】
また、評価ランクは、ユーザの人気投票等で評価が高かったことを示す情報である。評価に応じて付加点数を素材と共にダウンロードさせる。
【０２８８】
これらの、ダウンロード数及び評価ランク等は、ダウンロードされてユーザの携帯電話機１０００等の素材選択情報記憶部２１００等に記憶された後であっても、定期的に最新の評価に更新される。
（２）実施形態では、デコレーション候補表示部１５００が候補テンプレートとメール本文とから候補デコレーションメールを生成して表示し、ユーザが選択することとしているが、ユーザが候補デコレーションメールを修正等できるようにしてもよい。
【０２８９】
例えば、候補テンプレートの色や表示位置との関係で、メール本文が見難い場合等にメール本文の表示位置を変えることができるようにする。
【０２９０】
また、実施形態では、メール本文単位で候補テンプレートを生成したが、メール本文の段落単位及び文章単位等で候補テンプレートを生成することとしてもよい。
（３）実施形態では、複数の候補デコレーションメールを表示して、ユーザに送信するデコレーションメールを選択させることとしているが、最も適したメールのみを表示することとしてもよい。
（４）実施形態では、装飾対象のメールに関する情報として、位置、日時、宛先の個人情報（年齢、性別等）等の情報を用いて説明しているが、他の要素であってもよい。
【０２９１】
例えば、宛先グループ情報、送信側携帯電話機のユーザの個人情報、送信側携帯電話機の万歩計（登録商標）情報、各素材の使用履歴（使用頻度、使用日時、宛先等）、各テンプレートの使用履歴等である。
【０２９２】
具体的には、宛先グループが釣り仲間のグループである場合には、テンプレートには必ず魚の絵の素材を含ませることとする等である。また、万歩計（登録商標）情報であれば、その累積歩数に応じて、背景素材を変える等である。
（４）実施形態では、ユーザが素材の重み付けを指定する場合、数値を指定することとしているが、他の方法、例えば、「松」、「竹」、「梅」で指定することとしてもよい。
（５）実施形態では、携帯電話機からメールを送信する際にテンプレートを生成する場合を説明したが、様々な状況に対応した既存のテンプレートを生成するためにテンプレートを生成する機能等を用いることとしてもよい。例えば、テンプレートの提供者が用いてもよい。
（６）携帯電話機は、図４等の各構成要素の全部又は一部を、１チップ又は複数チップの集積回路で実現してもよい。
（７）携帯電話機は、図４等の各構成要素の全部又は一部を、コンピュータのプログラムで実現してもよいし、その他どのような形態で実施してもよい。
【０２９３】
コンピュータプログラムの場合、メモリカード、ＣＤ−ＲＯＭなどいかなる記録媒体に書き込まれたものをコンピュータに読み込ませて実行させる形にしてもよいし、ネットワークを経由してプログラムをダウンロードして実行させる形にしてもよい。
【０２９４】
上に述べた実施例には、以下に述べるような付記も開示されている。
（付記１）
デコレーションメール用のテンプレートを評価するテンプレート評価装置であって、
前記テンプレートは、複数の素材を含み、
素材毎に当該素材の属性内容と重み付けとを記憶する素材記憶手段と、
前記テンプレートを適用するメールに関する情報であるメール情報を取得するメール情報取得手段と、
前記テンプレートに含まれる素材の属性内容と重み付け、及び、前記メール情報とに基づいて、当該テンプレートの評価を行う評価手段と、
を備えるテンプレート評価装置。
（付記２）
デコレーションメール用のテンプレートを評価するテンプレート評価装置であって、
前記テンプレートは、複数種類の構成要素を含み、
前記構成要素毎の複数の候補素材、及び、候補素材毎に当該候補素材が属する構成要素の属性についての属性内容と重み付けとを記憶する素材記憶手段と、
前記テンプレートを適用するメールに関する情報であるメール情報を取得するメール情報取得手段と、
前記候補素材の属性内容と重み付け、及び、前記メール情報とに基づいて、当該候補素材の評価を行う候補素材評価手段と、
前記構成要素毎に、前記評価に応じて候補素材を選択する選択手段と、
評価対象のテンプレートに、前記選択された候補素材が含まれる数を基に、当該評価対象のテンプレートの評価を行う評価手段と
を備えるテンプレート評価装置。
【符号の説明】
【０２９５】
１０  ソフトキー対応キー
２０  機能キー
３０  文字入力キー
４０  ４１  メール情報
４２  ４３  ４４  評価点
５０  ５１  メール情報
１０００  １０２０  １０３０  携帯電話機
１００１  第１筐体
１００２  第２筐体
１００３  ヒンジ
１１００  操作部
１２００  ディスプレイ
１２１０  メール表示画面
１２２０  ソフトキー表示画面
１３００  メール作成部
１４００  メール送信部
１５００  デコレーション候補表示部
１６００  素材選択部
１６１０  １６２０  １６３０  組み合わせ一覧
１８００  タイマ
１９００  素材選択情報変更部
２０００  素材記憶部
２０１０  素材管理テーブル
２０１１  構成要素
２０１２  素材名称
２０１３  アドレス
２１００  素材選択情報記憶部
２１１０  構成要素情報テーブル
２１２０  ２１４０  ２１６０  素材属性テーブル
２１２１  構成要素
２１２２  属性
２１２３  優先度
２１３０  ２１５０  ２１７０  素材属性テーブル
２１３１  素材名称
２１３２  属性
２１３３  内容
２１３４  レベル
２１８０  点数付加要素情報
２２００  電話帳記憶部
２２１０  電話帳データ
３１００  テンプレート記憶部
３５００  デコレーション候補表示部
３６００  テンプレート選択部
【図１】
2011113510.tif 000003
【図２】
2011113510.tif 000004
【図３】
2011113510.tif 000005
【図４】
2011113510.tif 000006
【図５】
2011113510.tif 000007
【図６】
2011113510.tif 000008
【図７】
2011113510.tif 000009
【図８】
2011113510.tif 000010
【図９】
2011113510.tif 000011
【図１０】
2011113510.tif 000012
【図１１】
2011113510.tif 000013
【図１２】
2011113510.tif 000014
【図１３】
2011113510.tif 000015
【図１４】
2011113510.tif 000016
【図１５】
2011113510.tif 000017
【図１６】
2011113510.tif 000018
【図１７】
2011113510.tif 000019
【図１８】
2011113510.tif 000020
【図１９】
2011113510.tif 000021
【図２０】
2011113510.tif 000022
【図２１】
2011113510.tif 000023
【図２２】
2011113510.tif 000024
【図２３】
2011113510.tif 000025
【図２４】
2011113510.tif 000026